(57)【要約】【課題】ディスクタンブラー錠のシリンダー内筒の長手方向に多数配設されたディスクタンブラーを都合良く作動させて容易且つ迅速に解錠し得る解錠工具を提供する。【解決手段】ディスクタンブラーを上方へピッキングするための鍵山を形成したピッキングプレートとディスクタンブラーを下方へピッキングするためのピッキングプレートとを、前方部に鍵山１ａを形成したピッキングプレート１，１Ａと鍵山２ａを形成したピッキングプレート２，２Ａとにより摺動可能に組み合わせてディスクタンブラー錠の鍵穴に挿入し、テンションによりディスクタンブラーを配設したシリンダー内筒に回転モーメントを付勢しながら、ピッキングプレートの後方部に付した位置合わせマーク１ｅ，２ｅの範囲内で、前記ピッキングプレートを押し込んだり、引き出したりしてピッキングすることにより解錠する解錠工具である。【選択図】図１
0003115780.tif 000002
【実用新案登録請求の範囲】
【請求項１】
ディスクタンブラー錠のディスクタンブラー配列に応じて、ディスクタンブラーを上方へピッキングするための鍵山を形成したピッキングプレートと、ディスクタンブラーを下方へピッキングするための鍵山を形成したピッキングプレートと、ディスクタンブラーを配設したシリンダー内筒に回転モーメントを付勢させるためのテンションとにより構成され、前記ディスクタンブラーを上方へピッキングするための鍵山を形成したピッキングプレートとディスクタンブラーを下方へピッキングするための鍵山を形成したピッキングプレートとが、前方部に鍵山を形成した複数のピッキングプレートを摺動可能に組み合わせてなることを特徴とする解錠工具。
【請求項２】
ディスクタンブラーを上方へピッキングするための摺動可能に組み合わせたピッキングプレートの鍵山と、下方へピッキングするための摺動可能に組み合わせたピッキングプレートの鍵山が、配設されたディスクタンブラーの作動片に対応させて形成されてなることを特徴とする請求項１記載の解錠工具。
【請求項３】
ディスクタンブラーを上方へピッキングするための鍵山を形成し摺動可能に組み合わせたピッキングプレートとディスクタンブラーを下方へピッキングするための鍵山を形成し摺動可能に組み合わせたピッキングプレートの後方部に、ディスクタンブラー錠の鍵穴口面を基準とする位置合わせマークが符されてなることを特徴とする請求項１又は請求項２記載の解錠工具。
【考案の詳細な説明】
【技術分野】
【０００１】
本考案は、鍵の紛失や車の室内又はトランクへの鍵の閉じ込み時に容易且つ迅速に解錠し得るディスクタンブラー錠の解錠工具に関する。
【背景技術】
【０００２】
シリンダーの内筒に多数のディスクタンブラーを配設してバネで付勢し、シリンダー外筒に係止させて施錠されるディスクタンブラー錠（又はシリンダー錠とも言う）は、複雑な構造を有し、電気信号により施錠や解錠が行えるようにしたものも広く普及するに至って、その誤動作により車の室内又はトランクへの鍵の閉じ込みもあり、鍵の紛失のほかに車の室内又はトランクへの鍵の閉じ込みが多く発生しており、多数のディスクタンブラーを一つずつピッキングして解錠するというやり方が周知されているが、熟練した技術と解錠に長時間を要している。特に輸入車や高級な国産車の場合、盗難防止のためディスクタンブラー錠の構造が複雑化し、専門業者でもその解錠が難しくて長時間を要するといった問題や、長時間繰り返しピッキングするとディスクタンブラーの作動片や工具の先端が摩耗しやすいといった問題がある。
【０００３】
又、多数のディスクタンブラーを配設した自動車用シリンダー錠の解錠工具として、鍵差し込み穴に嵌合させるようにしたテンションにピック差し込み穴を設け、該差し込み穴にピックの先端部を差し込んでディスクタンブラーの係止をはずし、解錠するようにした技術（例えば、特許文献１参照）が開示されており、ディスクタンブラー錠用解錠治具として、ディスクタンブラー錠の鍵穴に挿入してディスクタンブラー錠の内筒をディスクタンブラーと共に解錠方向へ付勢するためのハンドルを有するテンション棒と、該テンション棒の上面と下面とに沿ってピッキングバーを摺動させて前記鍵穴に挿入することにより前記ディスクタンブラーを下方へ移行させるためのグリップ付きピックとからなり、施錠されたディスクタンブラー錠の鍵穴にテンション棒とピックを挿入し、ディスクタンブラーを下方へ移行させてテンション棒を解錠方向へ付勢させた状態で、ピックを引き抜いてテンション棒の付勢力をやや緩めることにより、下方部で係合したディスクタンブラーをバネの付勢により上方へ上げることにより解錠するようにした技術（例えば、特許文献２参照）が開示されている。
【特許文献１】実用新案登録第３０４７８７５号公報
【特許文献２】特開２００４−３６１５４号公報
【考案の開示】
【考案が解決しようとする課題】
【０００４】
しかしながら、上記特許文献１に開示される技術では、テンションのピック差し込み穴に、先端部を直角に曲げたピックを差し込んでディスクタンブラーの係止を一つずつピッキングしながらはずさなければならず、短時間に解錠できない。特に輸入車や国産の高級車のように、盗難防止のためディスクタンブラーを多数配設した複雑なディスクタンブラー錠の解錠においては、手間を要し、容易且つ迅速に行えないことや、長時間繰り返しピックで突くとディスクタンブラーの作動片やピックの先端が摩耗しやすい問題点があり、特許文献２に開示される技術では、下方向へ移行させて下方部で係合状態になったディスクタンブラーを、テンション棒の付勢をやや緩めることによりスプリングの付勢で上方へ上げて係合状態をはずすには、テンション棒にかける付勢力の加減が不確実で感と熟練を要するほか、ディスクタンブラーを個々に作動できない問題点がある。
【０００５】
本考案者は、上記問題点に鑑み、先に特願２００５−１９３３９５号にて、前方部にディスクタンブラーを下方へピッキングするための鍵山と、上方へピッキングするための鍵山を個別に形成した複数のピッキングプレートと、ディスクタンブラー錠の鍵穴に差し込んだピッキングプレートを引き出して定位置で止めると共に、ディスクタンブラーを配設したシリンダー内筒に回転モーメントを付勢させるためのテンションとにより構成され、前記ピッキングプレートをディスクタンブラー錠の鍵穴に差し込むと共に、テンションの先端部を鍵穴の上下部嵌合挿入して、該テンションに解錠方向へ回転モーメントを付勢させながらピッキングプレートを押したり、引いたりして鍵山の前後にあるディスクタンブラーを定位置まで動かして解錠するようにした解錠工具及び解錠方法を提示したが、一体型のノーマルなディスクタンブラーをシリンダー内筒の長手方向に多数（おおむね８枚程度）配設されたディスクタンブラー錠の解錠においては、鍵山が固定されたピッキングプレートで鍵山の前後にある複数のディスクタンブラーを作動させるには都合が悪く、従って本考案はこのような不都合を改善し、容易且つ迅速に解錠し得る解錠工具を提供することを課題とする。
【課題を解決するための手段】
【０００６】
上記課題を達成するために、本考案は以下に記載するような手段を講じてなる解錠工具とした。
すなわち、ディスクタンブラー錠のディスクタンブラー配列に応じて、ディスクタンブラーを上方へピッキングするための鍵山を形成したピッキングプレートと、ディスクタンブラーを下方へピッキングするための鍵山を形成したピッキングプレートと、ディスクタンブラーを配設したシリンダー内筒に回転モーメントを付勢させるためのテンションとにより構成され、前記ディスクタンブラーを上方へピッキングするための鍵山を形成したピッキングプレートとディスクタンブラーを下方へピッキングするための鍵山を形成したピッキングプレートとが、前方部に鍵山を形成した複数のピッキングプレートを摺動可能に組み合わせてなることを特徴とする解錠工具である。
【０００７】
前記ディスクタンブラーを上方へピッキングするための摺動可能に組み合わせたピッキングプレートの鍵山と、下方へピッキングするための摺動可能に組み合わせたピッキングプレートの鍵山は、配設されたディスクタンブラーの作動片に対応させて形成されてなることを特徴とするもので、シリンダー内筒の長手方向に配列された上下係止のノーマルなディスクタンブラーの作動片が鍵穴の右上方と左下方の位置、或いはこれと反対の位置であっても対応できるようにし、前記ディスクタンブラーを上方へピッキングするための鍵山を形成し摺動可能に組み合わせたピッキングプレートとディスクタンブラーを下方へピッキングするための鍵山を形成し摺動可能に組み合わせたピッキングプレートの後方部に、ディスクタンブラー錠の鍵穴口面を基準とする位置合わせマークが符されてなることを特徴とするもので、該位置合わせマークの範囲内で各ピッキングプレートを押したり引いたりして位置合わせすることにより解錠できるようにした。
【考案の効果】
【０００８】
上記手段にて記載する如く、本考案はディスクタンブラーを上方へピッキングするための鍵山を形成したピッキングプレートとディスクタンブラーを下方へピッキングするための鍵山を形成したピッキングプレートとが、前方部に鍵山を形成した複数のピッキングプレートを摺動可能に組み合わせてなるものであるから、上方へピッキングする複数のピッキングプレートの鍵山間と、下方へピッキングする二つのピッキングプレートの鍵山間が任意に調整できて、ディスクタンブラー錠のシリンダー内筒の長手方向に多数配設された一体型のノーマルなディスクタンブラーを作動させるのに都合が良く、鍵山でディスクタンブラーの作動片をピッキングしてディスクタンブラーを作動させるから、ディスクタンブラーの作動片や工具の先端が摩耗しにくい効果を奏する。
【０００９】
又、前記ディスクタンブラーを上方へピッキングするための摺動可能に組み合わせたピッキングプレートの鍵山と、下方へピッキングするための摺動可能に組み合わせたピッキングプレートの鍵山が、配設されたディスクタンブラーの作動片に対応させて形成されるから、鍵穴内のディスクタンブラーの作動片の位置が異なっても対応することが可能であり、前記ディスクタンブラーを上方へピッキングするための鍵山を形成して摺動可能に組み合わせたピッキングプレートとディスクタンブラーを下方へピッキングするための鍵山を形成して摺動可能に組み合わせたピッキングプレートの後方部に、ディスクタンブラー錠の鍵穴口面を基準とする位置合わせマークが符され、該位置合わせマークの範囲内で押したり引いたりして位置合わせすることにより容易且つ迅速に解錠できる効果を奏する。
【考案を実施するための最良の形態】
【００１０】
本考案を実施するための最良の形態は、ディスクタンブラー錠の配列に応じて、ディスクタンブラーを上方へピッキングするための鍵山を形成したピッキングプレートと、ディスクタンブラーを下方へピッキングするための鍵山を形成したピッキングプレートと、ディスクタンブラーを配設したシリンダー内筒に回転モーメントを付勢させるためのテンションとにより構成され、前記ディスクタンブラーを上方へピッキングするための鍵山を形成したピッキングプレートとディスクタンブラーを下方へピッキングするための鍵山を形成したピッキングプレートとが、前方部に鍵山を形成した複数のピッキングプレートを摺動可能に組み合わせてなることを特徴とする形態である。以下実施例にて図面を参照して説明する。
【実施例１】
【００１１】
図１は、本考案に係る解錠工具の実施例を示す斜視図である。図示するようにディスクタンブラー錠のシリンダー内筒に配設されたディスクタンブラーを上方へピッキングするための鍵山１ａ，２ａを形成したピッキングプレート１，２と、ディスクタンブラーを下方へピッキングするための鍵山１ａ，２ａを形成したピッキングプレート１Ａ，２Ａが組み合わされてディスクタンブラー錠の鍵穴に差し込むようにしてあり、ピッキングプレート１Ａ，２Ａは、鍵山１ａ，２ａの位置をディスクタンブラーの配列によって決められるが、ピッキングプレート１，２と同様の形状に形成されて鍵山１ａ，２ａが下方へ向くように反転した状態で組み合わされている。
【００１２】
すなわち、前記ピッキングプレート１，２，１Ａ，２Ａは、図２に示すように前方部に鍵山１ａを形成したピッキングプレート１，１Ａと前方部に鍵山２ａを形成したピッキングプレート２，２Ａとが背面合わせで摺動可能に組み合わされ、鍵山１ａ，２ａの位置が個々に移動できるようにしてディスクタンブラー錠のシリンダー内筒に配設されたディスクタンブラーをピッキングして動かすようにしてある。
【００１３】
前記ピッキングプレート１，１Ａ，２，２Ａは、鍵穴内で破損するのを防止するため剛性のある金属、例えばステンレス鋼又は靱性のある焼入れ可能な鋼等で製作するのが良く、ピッキングプレート１，１Ａは、図３の（ａ）に示すように前端部１ｂは挿入しやすく緩やかな傾斜をつけて例えば自動車の純正鍵の一番低い段差に合わせた段差部１ｃ，１ｃが形成され、鍵山１ａは一番高い段差に合わせた頂点としてある。ピッキングプレート２，２Ａは、図３の（ｂ）に示すように前端部２ｂが前記ピッキングプレート１，１Ａの鍵山１ａの後欠部１ｄに入りやすいように緩やかな傾斜をつけて前記純正鍵の一番低い段差に合わせた段差部２ｃ，２ｃが形成され、鍵山２ａの頂上は一番高い段差に合わせた頂点としてある。
【００１４】
前記ピッキングプレート１，１Ａ，２，２Ａの後方部には、ディスクタンブラー錠の鍵穴口面を基準としてそれぞれ複数（３位置）の位置合わせマーク１ｅ，…、２ｅ，…が符されており、前端の位置合わせマークと後端の位置合わせマークの範囲でピッキングプレートを押し込んだり、引き出したりして位置合わせし、ディスクタンブラー錠のシリンダー内筒に配設されたディスクタンブラーを定位置に動かすようにしてあり、ピッキングプレート１，１Ａ，２，２Ａの後端部には、該ピッキングプレートを押し込んだり、引き出したりするための取手部１ｆ，１ｆ、２ｆ，２ｆを設け、該取手部が前記ピッキングプレートを鍵穴に差し込んだ状態で略４５度の斜め放射方向に延出するように曲げて形成されている。
【００１５】
本考案は、前記ピッキングプレート１，１Ａ，２，２Ａのほかに、ディスクタンブラーを配設したシリンダー内筒に回転モーメントを付勢させるため、図４に示すようなテンション３を備えており、該テンション３は、ステンレス鋼のような剛性のある金属を使用し、先端部３ａを略直角にして二股ピンセット状に形成されて、先端部３ａに溝３ｂ，３ｂが形成され、後方には取手部３ｃが形成されて、図５に示すようにディスクタンブラー４，…、５，…を配設したシリンダー内筒６の鍵穴７の上下穴口部に前記溝３ｂ，３ｂを嵌め込み、取手部３ｃに手で解錠方向へ回転モーメントが付勢できるようにしてある。
【００１６】
シリンダー内筒６に配設されたディスクタンブラー４，…、５，…は、フォルクスワーゲンやアウディなど輸入車の場合、一体型のノーマルなディスクタンブラーをシリンダー内筒６の長手方向にディスクタンブラー４と５が交互に合わせておおむね８枚程度配設されているものが多く、前記ディスクタンブラー４，…は、図６の（ａ）に示すようにバネ８で付勢されて下方へ突き出し、下部でシリンダー外筒９の係止部９ａにより係止されて施錠状態となっており、鍵山でディスクタンブラー４を上方へ動かして解錠するための作動片４ａは鍵穴７の左下方に位置し、前記ディスクタンブラー５，…は、図６の（ｂ）に示すようにバネ８で付勢されて上方へ突き出し、上部でシリンダー外筒９の係止部９ａにより係止されて施錠状態となっており、鍵山でディスクタンブラー５を下方へ動かして解錠するための作動片５ａは鍵穴７の右上方に位置している。或いはこれと反対（作動片４ａが右下方で作動片５ａが左上方）に位置してる場合もあり、その場合は、ピッキングプレート１，１Ａ，２，２Ａは反対勝手に形成して対応する。鍵穴７から覗くと作動片４ａ，５ａの位置が判別できる。
【００１７】
次に、本考案による解錠作動例について、図８を参照して説明する。先ず、前記ディスクタンブラー４と５をシリンダー内筒６に長手方向に配設した鍵穴７の穴口上下に、テンション３の先端部３ａ，３ａに設けられた溝３ｂ，３ｂを嵌着する。テンション３を嵌着した状態は図８の（イ）（斜視図は前記図５）である。
【００１８】
次いで、ピッキングプレート１，２，１Ａ，２Ａを一緒に組み合わせた状態で鍵穴７に挿入し、位置合わせマーク１ｅ，…、２ｅ，…の中央の位置合わせマークを左右共鍵穴７の穴口面に合わす。図８の（ロ）の状態である。斜視図で示すと図７の状態である。この状態で、ディスクタンブラー４，…とディスクタンブラー５，…の作動片４ａ，…、５ａ，…は段差部１ｃ，…、２ｃ，…に位置し、例えば自動車の純正鍵の一番低い段差に位置するので、シリンダー内筒６の外径面と略面一（定位置）になっているディスクタンブラーもある。破線で図示されているのは反対側である。
【００１９】
テンション３に解錠方向へ回転モーメントを付勢した状態で、ピッキングプレート１，１Ａを手前に引き、ピッキングプレート２，２Ａを押し込んだ状態が図８の（ハ）である。ピッキングプレートの鍵山１ａ，２ａ，１ａ，２ａの傾斜部に沿って、ディスクタンブラー４…，５…の作動片４ａ…，５ａが上方へ或いは下方へピッキングされて移動し、ディスクタンブラー４…，５…がシリンダー外筒９の係止部から外れて定位置になると、テンション３に付勢された回転モーメントによりシリンダー内筒６がわずかに回転するが、前方部（鍵穴７の奥部）に位置するディスクタンブラー４，５の端部と、後方部（鍵穴７の手前）に位置するディスクタンブラー４の端部がシリンダー内筒６の外径面より突き出たままである。
【００２０】
図８の（ハ）の状態で、テンション３に解錠方向への回転モーメントを付勢させたままピッキングプレート１，１Ａを押し込み、ピッキングプレート２，２Ａを手前に引いた状態が図８の（ニ）である。この状態では図８の（ハ）で、１ａ，１ａ，２ａ，２ａにより定位置になったディスクタンブラー４…，５…がバネの付勢により元へ戻ろうとするが、テンション３の解錠方向への付勢により、シリンダー内筒６がわずかに回転しているため、シリンダー外筒９の係止部ではなく、内径面に接し、定位置の状態で保持されたままとなる。ピッキングプレート１，１Ａの押し込みにより、前方部（鍵穴７の奥部）に位置するディスクタンブラー４，５の作動片４ａ，５ａが、鍵山１ａ，１ａの傾斜部によりピッキングされ、ピッキングプレート２の引きにより、後方部（鍵穴７の手前）に位置するディスクタンブラー４の作動片４ａが、鍵山２ａの傾斜部によりピッキングされる。ピッキングプレート２Ａを引くと鍵山２ａの傾斜部により、最後方部（鍵穴７の最手前）に位置するディスクタンブラー５の作動片５ａが下方へバネの付勢により動こうとするが、図８の（ロ）の状態で定位置になり、テンション３の回転モーメントにより内筒６がわずかに回転しているので、シリンダー外筒９の内径面にディスクタンブラーが当たりそれ以上は動かず、全てのディスクタンブラー４…，５…が定位置になり解錠方向へ付勢されたテンション３によりシリンダー内筒６が回転して解錠されることになる。
【産業上の利用可能性】
【００２１】
本考案は、タンブラーをピッキングして解錠できる構造のものであれば、ディスクタンブラー錠のみならず、他のタンブラー錠の解錠にも利用できる可能性がある。
【図面の簡単な説明】
【００２２】
【図１】本考案に係る解錠工具の実施例を示す斜視図である。
【図２】鍵山を有する二つのピッキングプレートの組合わせ例を示す斜視図である。
【図３】ピッキングプレートの斜視図である。
【図４】テンションの斜視図である。
【図５】鍵穴の穴口にテンションの先端部を嵌着した斜視図である。
【図６】ディスクタンブラーの配設例を示す断面図である。
【図７】本考案を鍵穴に挿入した状態の斜視図である。
【図８】本考案による解錠作動例を示す側断面図である。
【符号の説明】
【００２３】
１，１Ａ，２，２Ａ  ピッキングプレート
１ａ，２ａ  鍵山
１ｂ，２ｂ  前端部
１ｃ，２ｃ  段差部
１ｄ  後欠部
１ｅ，２ｅ  位置合わせマーク
１ｆ，２ｆ，３ｃ  取手部
３  テンション
３ａ  先端部
３ｂ  溝
４，５  ディスクタンブラー
４ａ，５ａ  作動片
６  シリンダー内筒
７  鍵穴
８  バネ
９  シリンダー外筒
９ａ  係止部
【図１】
0003115780.tif 000003
【図２】
0003115780.tif 000004
【図３】
0003115780.tif 000005
【図４】
0003115780.tif 000006
【図５】
0003115780.tif 000007
【図６】
0003115780.tif 000008
【図７】
0003115780.tif 000009
【図８】
0003115780.tif 000010